(57)【要約】【課題】調理した後に蓋を開けるときに作業者の方に調理排気が吹き出さないように蓋を開くことができて作業環境が悪くなることがない加熱調理槽の蓋の開閉構造を提供する。【解決手段】加熱調理槽１の上に加熱調理槽１の上面開口を全面に亙って閉塞し得る蓋２を配置する。蓋２を水平にして加熱調理槽１の上面開口を閉塞した状態から蓋２を開くとき蓋２が手前に移動し且つ蓋２が持ち上がってから蓋２が手前と反対側の後側を軸として上方に回動して蓋２を開放するように蓋２を蓋開閉機構Ａで支持する。【選択図】        図４
2005261861.tif 000002
【特許請求の範囲】
【請求項１】
加熱調理槽の上に加熱調理槽の上面開口を全面に亙って閉塞し得る蓋を配置し、蓋を水平にして加熱調理槽の上面開口を閉塞した状態から蓋を開くとき蓋が手前に移動し且つ蓋が持ち上がってから蓋が手前と反対側の後側を軸として上方に回動して蓋を開放するように蓋を蓋開閉機構で支持したことを特徴とする加熱調理槽の蓋の開閉構造。
【請求項２】
蓋が手前に移動し且つ蓋が持ち上がったとき蓋の手前側より蓋の後側程高くなるようにしたことを特徴とする請求項１記載の加熱調理槽の蓋の開閉構造。  
【請求項３】
上記蓋開閉機構は、後端を回転軸にて回転自在に支持した上下に回動自在な回動アームと、回動アームと蓋との間の前後に配置されて両端を蓋及び回動アームに回転自在に連結した一対のリンクからなることを特徴とする請求項１または請求項２記載の加熱調理槽の蓋の開閉構造。
【請求項４】
前後の一対のリンクは前のリンクの長さより後のリンクの長さを長くしたことを特徴とする請求項３記載の加熱調理槽の蓋の開閉構造。
【請求項５】
請求項１乃至請求項４の蓋の開閉構造を備えた加熱調理装置。
【発明の詳細な説明】
【技術分野】
【０００１】
本発明は、内部に被調理物を入れて炊く、煮る、焼く、蒸す、炒める等の加熱調理をする業務用の加熱調理槽において、加熱調理槽の上面開口を閉塞する蓋を開閉する構造に関するものである。
【背景技術】
【０００２】
従来から、内部に被調理物を入れて炊く、煮る、焼く、蒸す、炒める等の加熱調理する業務用の加熱調理槽としては種々のものが提供されている。かかる加熱調理槽１は図８に示すように加熱調理するとき加熱調理槽１の上面の開口は蓋２で閉塞されるようになっているが、蓋２を開閉する機構は蓋２の手前と反対の後側を回転自在に支持し、蓋２の手前を上下させて蓋２の回動により開閉する構造になっている（例えば、特許文献１、特許文献２参照）。加熱調理槽１で調理するときは内部に被調理物を入れ、蓋２を下方に回動して図８（ａ）のように蓋２にて加熱調理槽１の上面開口を閉塞した状態で調理し、調理した後に図８（ｂ）に示すように蓋２を上方に回動して加熱調理槽１の上面開口を開放して被調理物を取り出すようになっている。
【特許文献１】特開平８−６１３５８号公報
【特許文献２】特開平１０−３０９２３６号公報
【発明の開示】
【発明が解決しようとする課題】
【０００３】
このような業務用の大型の加熱調理槽１で蓋２を閉じて調理していると、加熱開始後に内部温度が上昇すると、内部に蒸気などの調理排気が溜まってくるため、この状態で図８（ｂ）のように蓋２を上方に回動して開くと、加熱調理槽１内の調理排気は図８（ｂ）の矢印のように作業者３に向かって吹き出す。このため調理排気が作業者３に当たって作業環境が悪くなるという問題がある。また加熱調理槽１の上方には通常換気フードがあって、換気フードにて換気できるようになっているが、上記のように蓋２を開けて作業者に向けて調理排気が吹き出したとき調理排気を換気フードで全て吸収して換気することができず、調理排気が周囲に拡散し、調理室全体の環境も悪くなるという問題がある。このときの調理排気は炊く、煮る、蒸す等の調理をしているときには１００℃程度の温度であり、炒める等の油調理しているときの温度はそれ以上の温度であり、作業者に向かって吹き出すとかなりの不快な作業環境となる。
【０００４】
本発明は上記の従来の問題点に鑑みて発明したものであって、調理した後に蓋を開けるときに作業者の方に調理排気が吹き出さないように蓋を開くことができて作業環境が悪くなることがない加熱調理槽の蓋の開閉構造及び加熱調理装置を提供することを課題とするものである。
【課題を解決するための手段】
【０００５】
上記課題を解決するために本発明に係る加熱調理槽の蓋の開閉構造は、加熱調理槽１の上に加熱調理槽１の上面開口を全面に亙って閉塞し得る蓋２を配置し、蓋２を水平にして加熱調理槽１の上面開口を閉塞した状態から蓋２を開くとき蓋２が手前に移動し且つ蓋２が持ち上がってから蓋２が手前と反対側の後側を軸として上方に回動して蓋２を開放するように蓋２を蓋開閉機構Ａで支持したことを特徴とする。加熱調理した後に蓋２を開けるとき、蓋２が手前に移動すると共に蓋２がその姿勢で持ち上がって蓋２と加熱調理槽１の上面開口との間に隙間が開き、この状態から蓋２が上方に回動して蓋２を全開できる。このため蓋２を開き始めるとき蓋２が手前に移動すると共に略水平に持ち上がり、作業者が位置する側と反対側の後側から主に調理排気が上方に排気される。これにより調理排気が作業者３の方に吹き出して作業者３の調理環境が悪くなることがない。また蓋２の後側から上方に調理排気が吹き出すために換気フードへの調理排気の捕集率が上がる。また調理排気が手前に吹き出して拡散しないので調理場の環境が悪くなることがない。
【０００６】
また蓋２が手前に移動し且つ蓋２が持ち上がったとき蓋２の手前側より蓋２の後側程高くなるようにしたことを特徴とすることも好ましい。この場合、蓋２を持ち上げた状態で調理排気が一層後側から出やすくなる。
【０００７】
また上記蓋開閉機構Ａは、後端を回転軸４にて回転自在に支持した上下に回動自在な回動アーム５と、回動アーム５と蓋２との間の前後に配置されて両端を蓋２及び回動アーム５に回転自在に連結した一対のリンク６ａ，６ｂからなることを特徴とすることも好ましい。この場合、上記のように蓋２を開閉する蓋開閉機構Ａを簡単な構造で実現できる。
【０００８】
また前後の一対のリンク６ａ，６ｂは前のリンク６ａの長さより後のリンクの長さを長くしたことを特徴とすることも好ましい。この場合、蓋２を手前に引いて蓋２を持ち上げとき蓋２の手前側より蓋２の後側を高くするのを簡単な構造で実現できる。
【発明の効果】
【０００９】
本発明は叙述の如く加熱調理した後に蓋を開けるとき、蓋が手前に移動すると共に蓋がその姿勢で持ち上がって蓋と加熱調理槽の上面開口との間に隙間が開き、この状態から蓋が上方に回動して蓋を全開できるものであって、蓋を開き始めるとき蓋が手前に移動すると共に略水平に持ち上がり、作業者が位置する側と反対側の後側から主に調理排気が上方に排気され、調理排気が作業者の方に吹き出して作業者の調理環境が悪くなることがないという効果があり、また蓋の後側から上方に調理排気を吹き出すために換気フードへの調理排気の捕集率が上がるという効果があり、また調理排気が手前に吹き出して拡散しないので調理場の環境が悪くなることがないという効果がある。
【発明を実施するための最良の形態】
【００１０】
以下、本発明を添付図面に示す実施形態に基いて説明する。図１に示す加熱調理槽１は本例の場合、所謂ティルティングパンと称されるものであって、炊く、煮る、焼く、炒める、茹でる、蒸す、揚げる等の全ての調理をこなすものである。この加熱調理槽１は角形で上面を開口しており、上面から被調理物を投入して加熱調理できるようになっている。加熱調理槽１の底部にはガスバーナのような加熱手段を具備しており、この加熱調理槽１を槽支持基台７の上に搭載してある。槽支持基台７の左右の両側にはボックス８ａ，８ｂを設けてあり、左右のボックス８ａ，８ｂの間に配置した加熱調理槽１を両側のボックス８ａ，８ｂから突設した支持軸１１にて回転可能に支持してある。一方のボックス８ａの前面には回転操作ハンドル９を設けてあり、回転操作ハンドル９を回転操作することにより加熱調理槽１を前後方向に回動することができるようになっている。つまり、被調理物を加熱調理槽１に投入したり、被調理物を調理したりするときは加熱調理槽１が水平になっているが、被調理物を取り出すときは加熱調理槽１の手前側が低くなると共に後側が高くなるように加熱調理槽１を傾けて被調理物が取り出しやすいようになっている。他方のボックス８ｂの前面には加熱調理槽１の温度調節等の操作をする操作部１０を設けてある。
【００１１】
この加熱調理槽１の上面には加熱調理槽１の上面開口を全面に亙って覆う矩形状の蓋２を配置してあり、この蓋２が蓋開閉機構Ａにて槽支持基台７に支持してある。この蓋開閉機構Ａは本例の場合、加熱調理槽１の左右両側に夫々設けてある。蓋開閉機構Ａは回動アーム５と一対のリンク６ａ，６ｂにて形成されている。回動アーム５は基部の上横棒部５ａの先端から下方に縦棒部５ｂを垂下すると共に縦棒部５ｂの下端から上横棒部５ａと平行な下横棒部５ｃを一体に突設した形状に形成されており、上横棒部５ａの基端を槽支持基台７の後側の上端の後部フレーム１２に回転軸４にて回転自在に装着してある。そしてこの回動アーム５は下横棒部５ｃが上方に立ち上がる状態と水平になる状態との間回動するようになっている。この回動アーム５の下横棒部５ｃと蓋２との間の前後には一対のリンク６ａ，６ｂを配置してあり、一対のリンク６ａ，６ｂの端部を夫々軸１３にて蓋２や下横棒部５ｃに回転自在に連結してある。図２乃至図４に示す例では前のリンク６ａと後のリンク６ｂの長さが同じ長さになっている。蓋２の手間側には蓋２を開閉する持ち手となる取っ手１４を設けてある。
【００１２】
上記のように加熱調理槽１に蓋開閉機構Ａで蓋２を開閉自在に支持することで加熱調理装置が形成されている。この加熱調理装置の加熱調理槽１で調理するときは図３（ａ）や図４（ａ）のように蓋２が水平になって閉じられている。加熱調理を終えて蓋２を開くとき取っ手１４を手で持って蓋２を手前に引くと、リンク６ａ，６ｂが立ち上がるように回動して図３（ｂ）や図４（ｂ）に示すように蓋２が手前に移動すると共に蓋２が上方に移動する。この状態で図４（ｂ）の矢印ａに示すように蓋２の手前側の下方からフレッシュエアが入ると共に図４（ｂ）の矢印ｂのように調理排気が蓋２の後側から上方に吹き出し、上方の換気フードに捕集される。これにより、調理排気が作業者の方に吹き出したりしなく、また調理排気が周囲に拡散せず、また換気フードに効果的に捕集される。このように蓋２を持ち上げる時間は３秒程度である。このように蓋２を持ち上げた状態から取っ手１４を上方に上げるように回動すると、回動アーム５が上方に回動して蓋２が図３（ｃ）や図４（ｃ）に示すように全開される。この状態で加熱調理槽１の上面開口から被調理物が取り出される。被調理物を取り出すとき、回転操作ハンドル９を回転操作して加熱調理槽１を手前に傾けると被調理物の取り出しが容易にできる。
【００１３】
図５乃至図７は他の例を示すものである。本例も上記例と基本的に同じであり、前後のリンク６ａ，６ｂの長さを変えただけである。つまり、前のリンク６ａの長さより後のリンク６ｂの長さを長くしてある。このようにしてあると、取っ手１４を持って蓋２を手前に引いたとき蓋２が上に持ち上がるが、図６、図７に示すように蓋２の前より蓋２の後側が上に位置するように持ち上がる。これにより、図７の矢印ａに示すように蓋２の手前側の下方からフレッシュエアが入ると共に図７の矢印ｂのように調理排気が蓋２の後側から上方に吹き出すとき、一層フレッシュエアが入りやすくなると共に調理排気が吹き出しやすくなり、一層調理排気が換気フードに捕集されやくなる。
【００１４】
なお、上記例では蓋２に設けた取っ手１４を手前に引くことにより蓋２が手前側に移動すると共に蓋２が略水平に持ち上がる蓋開閉機構Ａについて述べたが、蓋２を開き始めるときに蓋２が手前に移動し且つ略水平に持ち上がるものであれば種々の構造が採用できる。例えば、蓋２を上に押し上げることにより蓋２が水平に持ち上がると共に手前に移動するものでもよく、また足踏みペダルを踏み込むことで蓋２が上に持ち上がると共に手前に移動するものでもよく、またレバーを手で操作することにより蓋２が上に持ち上がると共に手前に移動するものでもよい。
【図面の簡単な説明】
【００１５】
【図１】本発明の実施の形態の一例の斜視図である。
【図２】同上の要部を示し、（ａ）は一部切欠正面図、（ｂ）は一部切欠側面図である。
【図３】（ａ）（ｂ）（ｃ）は同上の蓋を開く状態を示す側面図である。
【図４】（ａ）（ｂ）（ｃ）は同上の蓋を開くときの動作を説明する説明図である。
【図５】同上の他の例を示す側面図である。
【図６】同上の蓋を持ち上げた状態の側面図である。
【図７】同上の蓋を持ち上げたときの動作を説明する説明図である。
【図８】（ａ）（ｂ）は従来例を説明する説明図である。
【符号の説明】
【００１６】
Ａ  蓋開閉機構  
１  加熱調理槽  
２  蓋
４  回転軸
５  回動アーム
６ａ  リンク
６ｂ  リンク  
【図１】
2005261861.tif 000003
【図２】
2005261861.tif 000004
【図３】
2005261861.tif 000005
【図４】
2005261861.tif 000006
【図５】
2005261861.tif 000007
【図６】
2005261861.tif 000008
【図７】
2005261861.tif 000009
【図８】
2005261861.tif 000010